(57)【要約】【課題】第二種通信事業者等が設置した電話交換機等を経由した通信の際に、着信側電話機の電話番号の入力中等において通話料金が発生することを防止することができ、不完全呼びが発生することを有効に防止する携帯電話機の発信制御を行う。【解決手段】予め設定されたプリセット番号と、携帯電話機のダイヤル発信を制御するプログラムを記憶した記憶手段１１を備えた外部接続装置１０を携帯電話機３０の外部接続端子３３に接続してダイヤル発信を行う。  前記外部接続装置１０に記憶されたプログラムにより、前記外部接続装置１０を接続した前記携帯電話機３０に着信側電話番号を入力し、又は携帯電話機３０のメモリ３１ａ内に予め登録された電話番号から着信側電話番号を選択し、該着信側電話番号に対するダイヤル発信を指令して、前記携帯電話機３０の前記制御手段３１に、前記着信側電話番号の前に前記プリセット番号を付加したダイヤル発信を行わせる。  【選択図】  図３
2006135737.tif 000002
【特許請求の範囲】
【請求項１】
入力された着信側電話番号、又はメモリ内に予め登録された電話番号のうちから選択された着信側電話番号を、ダイヤル指令に基づいてダイヤル発信する制御装置を備えた携帯電話機のダイヤル発信方法において、
予め設定されたプリセット番号と、前記ダイヤル指令により前記携帯電話機の前記制御装置に前記着信側電話番号の前に前記プリセット番号を付加したダイヤル発信を行わせるプログラムとを記憶した記憶手段を備えた外部接続装置を、前記携帯電話機の外部接続端子を介して前記制御装置に接続し、
前記外部接続装置を接続した前記携帯電話機に着信側電話番号を入力し、又は携帯電話機のメモリ内に予め登録された電話番号から着信側電話番号を選択すると共に、該着信側電話番号に対するダイヤル発信を指令して、前記携帯電話機の前記制御手段に、前記着信側電話番号の前に前記プリセット番号を付加したダイヤル発信を行わせることを特徴とする携帯電話機のダイヤル発信方法。
【請求項２】
入力された着信側電話番号、又はメモリ内に予め登録された電話番号のうちから選択された着信側電話番号を、ダイヤル指令に基づいてダイヤル発信する制御装置を備えた携帯電話機のダイヤル発信を制御するプログラムにおいて、
前記制御装置に接続された外部接続端子に接続される外部接続装置の記憶手段に記憶され、該外部接続装置を前記携帯電話機に接続した状態で、前記携帯電話機に着信側電話番号を入力し、又は携帯電話機のメモリ内に予め登録された電話番号からの着信側電話番号を選択すると共に、該着信側電話番号に対するダイヤル発信が指令されたとき、前記携帯電話機の前記制御手段に、前記着信側番号の前に前記プリセット番号を付加した番号へのダイヤル発信を行わせることを特徴とする携帯電話機のダイヤル発信制御プログラム。
【請求項３】
入力された着信側電話番号、又はメモリ内に予め登録された電話番号のうちから選択された着信側電話番号を、ダイヤル指令に基づいてダイヤル発信する制御装置を備えた携帯電話機の、前記ダイヤル発信を制御する外部接続装置において、
前記携帯電話機に設けられた外部接続端子に接続可能なコネクタと、
該コネクタを介して前記携帯電話機の前記制御装置に対して接続可能な記憶手段を有し、
前記コネクタを携帯電話機の前記外部接続端子に対して接続した後、前記携帯電話機における着信側電話番号の入力、又は携帯電話機のメモリ内に予め登録された電話番号のうちの着信側電話番号の選択、及び該着信側電話番号に対するダイヤルの指令とがあったとき、前記携帯電話機の前記制御手段に、前記着信側電話番号の前に前記プリセット番号を付加した番号へのダイヤル発信を行わせるプログラムを前記記憶手段に記憶させたことを特徴とする携帯電話機の外部接続装置。
【発明の詳細な説明】
【技術分野】
【０００１】
本発明は、携帯電話機のダイヤル発信方法、該方法を実現するためのプログラム、並びに携帯電話機用外部接続装置に関し、より詳細には、キー操作により入力された着信側電話番号、又は、携帯電話機のメモリ内に予め記憶された電話番号より選択された着信側電話番号に対する発信を行う際に、前記着信側電話番号の前に予め設定された番号（本発明において「プリセット番号」という。）を付加してダイヤル発信を行わせる携帯電話機のダイヤル発信制御方法及び前記方法を実現するためのプログラム、並びに携帯電話機用外部接続装置に関する。
【背景技術】
【０００２】
携帯電話機に設けられた外部接続端子に接続することにより、携帯電話機のダイヤル発信を制御して所定のダイヤル操作を行わせる外部接続装置として、所謂「アタッチメント」と呼ばれるものがある。
【０００３】
このアタッチメントは、これを携帯電話機の外部接続端子（通常、携帯電話機のバッテリーを充填する際に、充電器のコネクタを接続する部分に設けられている。）に接続することにより、該アタッチメントのメモリ内に予め記憶されている所定の電話番号に自動発信させるオートダイヤラーとして機能するもので、ボタン電池等の電源と、フラッシュメモリ等のＲＯＭと、前記携帯電話機の接続端子に接続可能なコネクタを備えている。
【０００４】
そしてこのアタッチメントのＲＯＭには、該アタッチメントのコネクタを携帯電話機の外部接続端子に接続すると、前述の外部接続端子を介して携帯電話機に制御信号を出力して携帯電話機を「オンフック」の状態と成すと共に、ＲＯＭ内に予め記憶された電話番号を送出して、前記携帯電話機に該番号のダイヤル発信を行わせるプログラムが記憶されている。
【０００５】
このようなアタッチメントは、一例として損害保険会社が例えば自動車保険の契約者に対して配布され、保険の加入者が事故発生時等においてこのアタッチメントを携帯電話機に接続すると、携帯電話機が例えば該損害保険会社の緊急コールセンター等に自動発信を行い、これにより、保険の加入者が、携帯電話機に設けられた操作キー等を操作して電話番号の入力を行うことなしに、緊急コールセンター等の呼び出しを行うことができるように構成されている。
【０００６】
ところで、携帯電話機の普及に伴い、携帯電話機において利用可能な通信サービスも多様化しており、例えば公衆電話網と専用線との接続による複合網等を利用したより付加価値の高い各種電気通信サービスの提供、その他各種の通信サービスの提供が行われている。
【０００７】
一例として、携帯電話機より直接国際電話をかけることを可能としたサービスや、携帯電話機を第二種通信事業者の設置した電話交換機等を経由して着信側の電話機との接続を行うことにより、着信側電話機に発信側の携帯電話機の電話番号や発信位置情報等が記録乃至は知得されることを防止したり、又は、比較的通信料金の安価な通信線を介して着信側電話機と接続することにより、通信費用を安価に抑えることができるようにした通信網乃至は複合網等による通信サービスも提供されている。
【０００８】
このような通信サービスの提供を受けるためには、「通信センター」、「コールセンター」、「アクセスポイント」等と呼ばれる、第二種通信事業者等が設置した前述の電話交換機を経由して着信側電話機との接続を行う必要があり、このような電話交換機を経由した接続を行うために、利用者には、一旦、携帯電話機から電話交換機に付与された番号（例えば、「００」で始まる４桁の番号、その他の電話番号）をダイヤルして、前述の電話交換機との間に接続が確保された後、着信側の電話番号を入力・送出する操作が要求されたり、または、着信側電話番号の前に、前述の電話交換機に付与された番号を付加してダイヤルすることが要求されており、その作業が繁雑となっている。
【０００９】
このように、例えば第二種通信事業者が提供する通信サービスの提供を受けるためには、単に着信側電話番号を入力する場合に比較してより多くの番号をダイヤルすることが必要となる。
【００１０】
そこで、このような利用者の負担やダイヤル操作の煩雑さを解消するために、前述の電話交換機に付与された番号を記憶した前述のアタッチメントを使用することによって、電話交換機に対する接続をこのアタッチメントを装着することにより自動発信で行うようにすることも提案されている（非特許文献１，非特許文献２参照）。
【００１１】
なお、一例として、非特許文献１にあっては、該通信サービスの提供者が設置した電話交換機を経由して着信側電話機に対する発信を行うことにより、発信側携帯電話機の電話番号や、位置情報に代えてこの電話交換機の電話番号や位置情報を通知することにより、発信者の電話番号や位置情報を秘匿可能とした通信サービスであり、また、非特許文献２にあっては、該通信サービスの提供者が設置した電話交換機を経由することにより、該電話交換機に接続されたＩＰ電話回線を介して安価な国際電話を可能としたサービスである。
【００１２】
この発明の先行技術文献情報としては次のものがある。
【非特許文献１】「覆面コール」（http://www.suimu.com/prepaid/fukumen/index.html）
【非特許文献２】「携帯用ダイヤラー Pocketline」(http://www.kinmirai.net/pocketline/pocketline.html)
【発明の開示】
【発明が解決しようとする課題】
【００１３】
前述のように、電話交換機に付与された番号を記憶したアタッチメントを使用することで、このアタッチメントを携帯電話機の外部接続端子に接続するだけで、携帯電話機はアタッチメントに記憶された番号に自動発信するので、前述のような通信サービスの利用者は、操作キーなどを操作して電話交換機に付与された番号を入力したり、携帯電話機に設けられた「アドレス帳」等に電話番号を登録する際に、登録する番号の頭に前述の電話交換機等に付与された番号を付加して登録することなく、電話交換機との間の接続を確立させることができる。
【００１４】
そのため、利用者は、このような接続が確立した後に、携帯電話機のキー操作等により着信側の電話番号を入力したり、あらかじめ携帯電話に登録されている電話番号を呼び出して送出するだけで、前記通信サービスを利用して着信側電話機に対する呼び出しが可能となる。
【００１５】
ところで、前述のような電話交換機を経由した通話を行う場合、発信側の携帯電話機と、着信側電話機との間における通話料金は、発信側携帯電話機から電話交換機までの通話料金と、電話交換機から着信側電話機までの通話料金との合計となる。
【００１６】
そして、発信側携帯電話機と電話交換機間の通話料金は、電話交換機と着信側電話機間の接続が行われているか否かに拘わらず、発信側携帯電話機と電話交換機間の接続が確立した時点より発生する。
【００１７】
そのため、前述のアタッチメントを携帯電話機に装着することにより、携帯電話機が電話交換機に対する発信を直ちに行う場合、利用者の目的が着信側電話機との間での通話であるにも拘わらず、着信側電話機との間の接続が確立する前、例えば利用者が着信側電話機の電話番号を入力している間にも通話料金のカウントが開始される。
【００１８】
また、例えば利用者が着信側電話機の電話番号の入力作業を行わず、又はこのような入力作業を途中で中止して、着信側電話機の呼び出しを行わないこととした場合であっても、発信側携帯電話機と電話交換器間の接続から作業を中止する迄の間に発生した、発信側携帯電話機と電話交換器間の通話料金が発生することとなり、この通話料金を直接又は間接的に利用者が負担することとなる。
【００１９】
更に、前述のアタッチメントは携帯電話機に対する接続を検知すると、直ちに携帯電話機に、記憶している番号に対するダイヤルを指令する信号の出力を開始するが、前述のアタッチメントは、携帯電話機との間の電気的な接続を検知すれば信号の出力を開始するために、携帯電話機の接続端子に対してコネクタが完全に装着されていない、電気的な接続が不安定な状態であっても制御信号の出力を開始してしまう場合がある。
【００２０】
そのため、コネクタに外部接続端子が完全に挿入される迄の間に、両者の接続が絶たれる場合があり、アタッチメントから懈怠電話機に対して入力された信号が、不完全なものとなる場合もある。
【００２１】
このように、携帯電話機に対して入力される信号が不完全である場合には、携帯電話機がダイヤル動作を開始しなかったり、又は、一部脱落した信号に従って不完全なダイヤル発信を行う等して、電話交換機との接続を行うことができない場合があり、その結果、着信側電話機を呼び出すことができない場合がある。
【００２２】
そこで、本発明の目的は、上記従来技術における欠点を解消するためになされたものであり、例えば第二種通信事業者等が設置した電話交換機等を経由した通信を行う際に、着信側電話機の電話番号の入力中や、入力を止めて作業を終了した場合等において通話料金が発生することを防止することができると共に、不完全呼びが発生することを有効に防止することのできる携帯電話機の発信制御方法及び前記方法を実現するプログラム並びに外部接続器を提供することを目的とする。
【課題を解決するための手段】
【００２３】
上記目的を達成するために、本発明の携帯電話機のダイヤル発信方法は、キー操作等により入力された着信側電話番号、又は「アドレス帳」、「着信履歴」又は「発信履歴」等として携帯電話機３０のメモリ３１ａ内に予め登録された電話番号のうちから選択された着信側電話番号を、発信キー３５の操作等によるダイヤル指令に基づいてダイヤル発信する制御装置３１を備えた携帯電話機３０のダイヤル発信方法に関するもので、
予め設定されたプリセット番号と、前記ダイヤル指令により前記携帯電話機３０の前記制御装置３１に、前記着信側電話番号の前に前記プリセット番号を付加したダイヤル発信を行わせるプログラムとを記憶した記憶手段１１を備えた外部接続装置１０を、前記携帯電話機３０の外部接続端子３３を介して前記制御装置３１に接続し、
前記外部接続装置１０を接続した前記携帯電話機３０に着信側電話番号を入力し、又は携帯電話機３０のメモリ３１ａ内に予め登録された電話番号から着信側電話番号を選択すると共に、該着信側電話番号に対するダイヤル発信を指令して、前記携帯電話機３０の前記制御手段３１に、前記着信側電話番号の前に前記プリセット番号を付加したダイヤル発信を行わせることを特徴とする（請求項１）。
【００２４】
また、本発明の携帯電話機３０のダイヤル発信制御プログラムは、入力された着信側電話番号、又は携帯電話機３０のメモリ３１ａ内に予め登録された電話番号のうちから選択された着信側電話番号を、ダイヤル指令に基づいてダイヤル発信する制御装置３１を備えた携帯電話機３０のダイヤル発信を制御するもので、
前記制御装置３１に接続された外部接続端子３３に接続される外部接続装置１０の記憶手段に記憶され、該外部接続装置１０を前記携帯電話機３０に接続した状態で、前記携帯電話機３０に着信側電話番号を入力し、又は携帯電話機３０のメモリ３１ａ内に予め登録された電話番号からの着信側電話番号を選択すると共に、該着信側電話番号に対するダイヤル発信が指令されたとき、前記携帯電話機３０の前記制御手段３１に、前記着信側番号の前に前記プリセット番号を付加した番号へのダイヤル発信を行わせるものである（請求項２）。
【００２５】
さらに、本発明の携帯電話機３０の外部接続装置１０は、入力された着信側電話番号、又は携帯電話機３０のメモリ３１ａ内に予め登録された電話番号のうちから選択された着信側電話番号を、ダイヤル指令に基づいてダイヤル発信する制御装置３１を備えた携帯電話機３０の、前記ダイヤル発信を制御する外部接続装置１０であり、
前記携帯電話機３０に設けられた外部接続端子３３に接続可能なコネクタ１２と、
該コネクタ１２を介して前記携帯電話機３０の前記制御装置３１に対して接続可能な記憶手段１１を有し、
前記コネクタ１２を携帯電話機３０の前記外部接続端子３３に対して接続した後、前記携帯電話機３０における着信側電話番号の入力、又は携帯電話機３０のメモリ３１ａ内に予め登録された電話番号のうちの着信側電話番号の選択、及び該着信側電話番号に対するダイヤルの指令とがあったとき、前記携帯電話機３０の前記制御手段３１に、前記着信側電話番号の前に前記プリセット番号を付加した番号へのダイヤル発信を行わせるプログラムを前記記憶手段１１に記憶させる構成を備えている（請求項３）。
【発明の効果】
【００２６】
上記構成を備えた本発明の携帯電話用発信装置にあっては、例えば第二種通信事業者が提供する通信サービスの提供を受ける際に、該第二種通信事業者が設置した電話交換機等に付与された番号を、利用者が入力することなく自動で発信することができるため、該通信サービス等の提供を受ける利用者に、煩雑な番号入力等の負担を課すことがない。
【００２７】
また、外部接続装置を携帯電話機に装着した状態で、着信側電話番号の入力等が完了した後に、予め外部接続装置に記憶されたプリセット番号を付加した着信側電話番号のダイヤル発信を携帯電話機に行わせることで、着信側電話番号の入力中には、携帯電話機は如何なるダイヤル発信も行っておらず、着信側電話番号の入力中や、着信側電話番号の入力を途中で中止して最終的に着信側電話機の呼び出しの発信を行わない場合には、このような携帯電話機の操作により何等の通話料金も発生しない。
【００２８】
さらに、本発明の外部接続装置を携帯電話機に装着しても、着信側電話番号の入力が完了する迄の間は携帯電話機によるダイヤル発信が行われず、着信側電話番号の入力が完了した後、初めてダイヤル発信が行われるので、外部接続装置が携帯電話機の外部接続端子に対して完全に接続された、安定した状態において携帯電話機との間の信号の授受が行われるために、携帯電話機の誤作動や不完全呼び等が発生することを確実に防止することができる。
【発明を実施するための最良の形態】
【００２９】
次に、本発明の実施形態を添付図面を参照しながら以下説明する。
【００３０】
〔発明の概略〕
本発明の外部接続装置１０は、これを携帯電話機３０の外部接続端子３３に接続した状態で、携帯電話機３０のプッシュキー３４を操作して着信側電話番号を入力することにより、又は「アドレス帳」、「発信履歴」、「着信履歴」等として携帯電話機のメモリ内に予め記憶されている電話番号を指定すると共に、このようにして入力乃至は指定された着信側電話番号のダイヤル発信を、例えば発信キー３５を押すことにより指令すると、この入力等がされた着信側電話番号の前に、外部接続装置１０のメモリ１１内に予め記憶されているプリセット番号（例えば、前述の第２種通信事業者が設置した電話交換機に付与されている番号）を付加し、このプリセット番号が付加された着信側電話番号を前記携帯電話機３０にダイヤルさせるようにしたものである。
【００３１】
このように、携帯電話機３０に対する接続を可能とするために、本発明の外部接続装置１０は、携帯電話機３０の外部接続端子３３に対して接続可能なコネクタ１２を備えると共に、携帯電話機３０に前述のダイアル発信を行わせるためのプログラムや、着信側電話番号に付加すべき前述のプリセット番号を記憶した、フラッシュメモリやマスクＲＯＭ等のＲＯＭ（記憶手段）１１、及び図示せざるボタン電池等の電源を備えており、前述のＲＯＭ１１に記憶されたプログラムにより、前述のような携帯電話機３０のダイヤル動作を実現することができるように構成されている。
【００３２】
このように、着信側電話番号の入力等が完了した後に、予め外部接続装置１０に記憶されたプリセット番号を付加した着信側電話番号のダイヤル発信を携帯電話機３０に行わせることにより、着信側電話番号の入力中には、如何なるダイヤル発信も行われていないことから、着信側電話番号の入力中や、着信側電話番号の入力を途中で中止して最終的な発信を行わない場合には、このような携帯電話機３０の操作により何等の通話料金も発生しない。
【００３３】
また、本発明の外部接続装置１０を携帯電話機３０に装着しても、着信側電話番号の入力が完了する迄の間は携帯電話機３０によるダイヤル発信が行われず、着信側電話番号の入力が完了した後、初めてダイヤル発信が行われるので、外部接続装置１０が携帯電話機３０の外部接続端子３３に対して完全に接続された、安定した状態において携帯電話機３０との間で信号の授受が行われるために、携帯電話機３０の誤作動や不完全呼び等が発生することを確実に防止することができるのである。
【００３４】
〔動作説明〕
以下、携帯電話機３０による一般的なダイヤル発信を説明すると共に、この一般的なダイヤル発信との比較において本発明の外部接続装置１０を装着した場合におけるダイヤル発信の際の動作を説明する。
【００３５】
（１）携帯電話機の一般的な発信動作
本発明のダイヤル制御装置を装着してダイヤル発信が制御される携帯電話機は、図１に示すように、電話番号をダイヤルするための数字、♯、＊等に対応したプッシュキー３４、携帯電話機をオンフック、オフフック状態に切り替えるための発信キー３５及び切断キー３６、その他、携帯電話機に設けられた各種機能に応じて設けられている操作キー、通話を行うためのマイクロフォン３７ａ及びスピーカー３８ａが取り付けられた送話口３７及び受話口３８、発信電話番号や着信電話番号、前記プッシュキー３４により入力した電話番号の表示、その他、該携帯電話機３０に設けられた各種の機能に基づいた表示が行われるディスプレイ３９、外部機器との接続を可能とする外部接続端子３３、アンテナ、着信時に点滅するＬＥＤ、着信音を出力するスピーカー（図示省略）、その他の必要な構成を備えている。
【００３６】
そして、前述の操作キー３４，３５，３６等、マイクロフォン３７ａ及びスピーカー３８ａ、ディスプレイ３９、アンテナ、ＬＥＤ、着信音用スピーカー、外部接続端子３３等は、それぞれこれらの動作を制御するキー入力制御回路３２５、音声入出力制御回路３２４、ディスプレイ制御回路３２６、送受信制御回路３２１、ＬＥＤ制御回路３２７、着信音出力制御回路３２８等に接続されており、これらの各制御回路等が、ＩＣ等の処理装置から成る制御装置３１によって、メモリ３１ａに予め記憶されたプログラムに従い統括的に制御されている。
【００３７】
以上のように構成された携帯電話機３０において行われる通常のダイヤル発信は、プッシュキー３４の操作により電話番号を入力すると、キー入力制御回路３２５により、このキー操作は、操作されたキーに対応した電話番号の信号に変換され、この信号を受信した制御装置３１は、この電話番号をメモリ３１ａ内の所定の領域に記憶する。
【００３８】
その後、例えば発信キー３５の操作等によりダイヤル発信を指令すると、キー入力制御回路３２５からのダイヤル発信指令を受けた制御装置３１は、メモリ３１ａ内に記憶されたプログラムの実行によりダイヤル発信手段３２２を実現し、このダイヤル発信手段３２２がメモリ３１ａに記憶された前述の着信側電話番号を呼び出し、送受信制御回路３２１を介してこの番号に対するダイヤル発信を行う。
【００３９】
なお、前述の発信キー３５の操作は、着信側電話番号を入力する前に操作して、着信側電話番号の入力を、携帯電話機３０をオンフックとした状態で行っても良い。このように電話番号の入力前に発信キー３５を操作した場合には、制御装置３１は、プッシュキー３４による最新の入力から一定時間、次の入力が行われない場合に、前述のダイヤル発信手段３２２にダイヤル発信を指令し、ダイヤル発信手段３２２が入力された着信側電話番号に対するダイヤル発信を行う。
【００４０】
また、携帯電話機３０が「アドレス帳」等として、予め電話番号を記憶可能である場合、または、「着信履歴」、「発信履歴」として、発信乃至は着信した電話番号をメモリ３１ａ内に記憶している場合には、このようにしてメモリ３１ａ内に記憶されている電話番号を操作キーにより選択乃至は指定して、該番号に対するダイヤルを発信キー３５の操作により指令すると、ダイヤル発信手段３２２が指定された電話番号をメモリ３１ａ内より呼び出すと共に、この番号に対するダイヤル発信を行わせることができ、これによりプッシュキー３４による着信側端末の電話番号の入力を省略することができるように構成されている。
【００４１】
（２）外部接続装置を取り付けた場合の携帯電話機の動作
以上説明したように、携帯電話機３０による通常のダイヤル発信にあっては、プッシュキー３４等により入力された着信側端末の電話番号を、キー入力制御回路３２５より受信した制御装置３１がメモリ３１ａ内の所定の領域に記憶し、その後の発信指令に基づいてダイヤル発信手段３２２が、このメモリ３１ａ内に記憶された着信側端末の電話番号を呼び出して、この番号に対するダイヤル発信を行うように構成されているが、本発明の外部接続装置１０を携帯電話機３０に取り付けることにより、一例として携帯電話機３０によるダイヤル発信動作が下記のように変更等して、着信側電話番号の前にプリセット番号が付加された番号に対するダイヤル発信を可能としている。
【００４２】
（２−１）動作例１
本実施形態にあっては、本発明の外部接続装置１０を携帯電話機３０に接続することで、携帯電話機３０の制御装置３１に外部接続装置１０の記憶手段１１が接続され、該外部接続装置１０の記憶手段１１内に記憶されたプログラムが、携帯電話機３０の制御装置３１の動作を規制するプログラムの全部、又は一部となり、このプログラムによって、携帯電話機３０の制御装置３１による制御（本実施形態にあっては、ダイヤル発信手段３２２の動作）が変更されることで、前述のように着信側電話番号の前にプリセット番号が付加された番号に対するダイヤル発信を行うことができるようになっている。
【００４３】
このダイヤル発信手段３２２の動作変更として、本実施形態にあっては、携帯電話機３０の前記メモリ３１ａ内に記憶されている着信側端末の電話番号をそのままダイヤル発信する前述の一般的な動作に代え、図３に示すように携帯電話機３０のプッシュキー３４の操作による着信側端末の電話番号の入力、又は携帯電話機のメモリ内に予め記憶されている電話番号の指定後、発信キー３５の操作による発信指令が成されると、この発信指令の受信を条件に起動する前述のダイヤル発信手段３２２が、外部接続端子３３を介して該携帯電話機３０に接続された外部接続装置１０の記憶手段１１内に記憶された前述のプリセット番号（図３に示す例では、「００ＹＹ」）を呼び出して先ずこのプリセット番号に対するダイヤル発信を行い、次いで、携帯電話機３０のメモリ３１ａに記憶された前述の着信側電話番号（図３の例では「０３ ＸＸＸＸ ＸＸＸＸ」）を呼び出し、この着信側電話番号をダイヤル発信するように、その動作が変更されて、これら一連の動作により、プリセット番号と着信側電話番号とが連続して成る番号（００ＹＹ ０３ ＸＸＸＸ ＸＸＸＸ）がダイヤル発信される。
【００４４】
なお、上記実施形態にあっては、着信側電話番号の入力後に発信キー３５を操作することにより、ダイヤル発信手段３２２が、着信側電話番号のダイヤル発信前に外部接続装置１０の記憶手段１１内に記憶されたプリセット番号を自動でダイヤル発信するものとして説明したが、例えば、発信に際して着信側電話番号の前にプリセット番号を付加するか否かを、利用者において選択可能に構成しても良い。
【００４５】
この場合には、一例として携帯電話機３０の番号入力画面に、例えば「機能」等の選択表示を表示させ、この選択表示が選択されたとき、画面上に例えば選択肢として「００ＹＹ発信」等の表示を含む選択画面を表示させ、この「００ＹＹ発信」が選択されたとき、ダイヤル発信手段３２２が、プリセット番号である「００ＹＹ」の付加された着信側端末の電話番号をダイヤル発信するようにし、この選択がなされない場合には、通常の発信、その他の選択肢に応じた発信を行うように構成しても良い。
【００４６】
このように、外部接続装置１０の接続により、携帯電話機３０のダイヤル発信手段３２２の動作を変更し、外部接続装置１０の記憶手段１１内に記憶されたプリセット番号をダイヤル発信し、次いで携帯電話機３０のメモリ３１ａに記憶された着信側端末の電話番号をダイヤル発信することにより、着信側端末の電話番号の前にプリセット番号が付加された番号を出力することができることから、このプリセット番号として例えば前述のように第二種通信事業者が設置する電話交換機に付与された番号等を記憶させておくことにより、利用者は、携帯電話機３０に外部接続装置１０を取り付けた後、着信側端末の電話番号を入力することのみで、前記電話交換機を経由した通信サービスの提供を受けることが可能となる。
【００４７】
（２−２）動作例２
以上説明した「動作例１」では、携帯電話機３０のダイヤル発信手段３２２が、着信側電話番号をダイヤル発信する前に、外部接続装置１０の記憶手段１１に記憶されているプリセット番号に対してダイヤル発信を行い、次いで携帯電話機３０のメモリ３１ａに記憶されている着信側端末の電話番号に対するダイヤル発信を行うことにより、着信側電話番号の前にプリセット番号が付加された電話番号に対するダイヤル発信を行う場合を例として説明したが、本実施形態にあっては、携帯電話機３０のメモリ３１ａに記憶された着信側電話番号を、一旦、外部接続装置１０に取得させ、この外部接続装置１０において、取得した着信側電話番号にプリセット番号を付加した番号（以下、「合成番号」という。）を作成させ、この作成された合成番号を、外部接続端子３３を介して携帯電話機３０に入力することにより、携帯電話機３０のダイヤル発信手段３２２に、受信した合成番号のダイヤル発信を行わせるように構成している。
【００４８】
本発明の外部接続装置１０による着信側電話番号の取得は、本発明の外部接続装置１０を携帯電話機の外部接続端子３３に取り付けた状態で、プッシュキー３４の操作により着信側電話番号を入力した後、発信キー３５を押すことにより、又は、携帯電話機３０のメモリ３１ａ内に記憶されている電話番号から、着信側電話番号を選択した後、発信キー３５を押すことにより行われ、着信側電話番号の入力、又は着信側電話番号の選択の後、発信キー３５の操作により、外部接続装置１０の記憶手段１１に記憶されたプログラムの実行により、携帯電話機の制御装置３１は、ダイヤル発信手段３２２によるメモリ３１ａ内に記憶している着信側電話番号（図４における「０３ ＸＸＸＸ ＸＸＸＸ」）のダイヤル発信を行わず、携帯電話機３０制御装置３１のメモリ内に記憶された着信側電話番号を、外部接続装置１０に出力する。
【００４９】
そして、この着信側電話番号を受信した外部接続装置１０は、その記憶手段１１に着信側電話番号（「０３ ＸＸＸＸ ＸＸＸＸ」）を記憶すると共に、この着信側電話番号の前に、外部接続装置１０の記憶手段１１に予め記憶したプリセット番号（図４における「００ＹＹ」）を付加して、前述の「合成番号」（図４における「００ＹＹ ０３ ＸＸＸＸ ＸＸＸＸ」）を作成する。
【００５０】
このようにして、合成番号を作成した外部接続装置１０は、この作成された合成番号を、コネクタ１２及び外部接続端子３３を介して携帯電話機３０の制御装置３１に送信し、これを受信した携帯電話機３０の制御装置３１は、該合成番号に従ったダイヤル発信をダイヤル発信手段３２２に行わせる。
【００５１】
このようにして、携帯電話機３０は、本発明の外部接続装置１０を装着することによりプリセット番号の付加された着信側電話番号（合成番号）に対するダイヤル発信が可能となる。
【００５２】
なお、本発明による携帯電話機３０のダイヤル発信制御は、プッシュキー３４等の操作により入力され、あるいは、予め携帯電話機３０のメモリ３１ａに記憶されている電話番号より選択された着信側電話番号に、プリセット番号を付加してダイヤルさせることができる構成であれば、上記において説明した例に限定されず、各種の方法によりこれを行うことが可能である。
【００５３】
〔ダイヤルから着信までの流れ〕
以上のように構成された本発明の外部接続装置１０の記憶手段１１内に記憶するプリセット番号として、一例として図５における公−専−公接続から成る複合網５０による通信サービスの提供を行う第二種通信事業者が設置する電話交換機（発信側コールセンター７１）の番号を記憶した場合において、発信側の携帯電話機３０’の操作から、着信側の電話機８１との間の接続が確立する迄の一連の動作は、下記の通りである。
【００５４】
前述の第二種通信事業者が提供する通信サービスの提供を受けようとする利用者は、先ず、発信側携帯電話機３０’の外部接続端子に、予め前記通信サービスを提供する通信事業者等より取得等した前述の外部接続装置１０を装着する。
【００５５】
この外部接続装置１０を装着した状態において、利用者が携帯電話機３０’に設けられているプッシュキーの操作により着信側電話番号を入力し、又は、携帯電話機に設けられている「アドレス帳」、「着信履歴」、「発信履歴」等から、メモリ内に予め記憶されている番号を着信側電話番号として選択し、送信キーの操作によりダイヤル発信を指令すると、前述のように携帯電話機３０’のダイヤル発信手段３２２は、プリセット番号が付加された着信側電話番号に対するダイヤル発信を行う。
【００５６】
携帯電話機３０’よりダイヤル発信された番号には、前述のように特定の第二種通信事業者が設置した電話交換機（発信側コールセンター７１）を示すプリセット番号が付加されているために、この番号の送出を受けた移動体系事業者の回線網３２に設置された交換機（図示せず）は、付加されたプリセット番号からこのダイヤル発信が特定の第二種通信事業者の電話交換機を経由した通信サービスの対象であることを認識し、この携帯電話機３０’を、当該移動体系事業者の回線網６２、又は当該移動体系事業者の回線網６２に接続された図示せざる専用線等を介して、プリセット番号により特定された第二種通信事業者の電話交換機（発信側コールセンター７１）に接続する作業を行う。
【００５７】
このようにして、発信側携帯電話機３０’からのダイヤル発信を受けた電話交換機（発信側コールセンター７１）は、前述のプリセット番号に続く着信側電話番号に含まれるエリアコードに従って、専用線７２を介して当該エリアに存在する電話交換機（着信側コールセンター７３）との間での接続を確立し、着信側コールセンター７３は、このエリアコードに続く番号等に従って、一般公衆回線網８２、図示せざる移動体系事業者の回線網等を介して、着信側電話機８１を呼び出し、その後、この呼び出しに応えて、着信側電話機がオンフックとなると、発信側携帯電話機と着信側電話機間の回線が確保され、両者間における会話が可能となる。
【００５８】
このように、本発明の外部接続装置１０を装着した携帯電話機３０’にあっては、着信側電話番号の入力が完了する迄、携帯電話機はダイヤル発信（図５の例では、発信側コールセンター７１の呼び出し）を行わないので、着信側電話番号の入力中に、携帯電話機３０’と電話交換機（発信側コールセンター７１）間の接続が確立する場合がなく、従って、着信側電話番号の入力中には如何なる通話料金も発生しない。
【００５９】
また、着信側電話番号の入力を中止した場合において、発信側携帯電話機３０’と発信側コールセンター７１間に、移動体系事業者の回線網６２における通話料金が発生するということもない。
【００６０】
さらに、携帯電話機３０’のダイヤル発信は、外部接続装置１０の安定した装着が行われた状態において成されることから、携帯電話機３０’の動作不良や不完全呼び等が発生することを確実に防止することができるものとなっている。
【産業上の利用可能性】
【００６１】
以上説明した本発明の構成により、本発明は、「通信センター」、「コールセンター」、「アクセスポイント」等と呼ばれる、電話交換機等に付与された番号が、着信側電話番号の入力に先だって入力が要求される際の携帯電話機によるダイヤル発信に使用することができる。
【図面の簡単な説明】
【００６２】
【図１】携帯電話機及び外部接続装置の概略説明図。
【図２】携帯電話機及び外部接続装置の機能ブロック図。
【図３】本発明の外部接続装置装着時におけるダイヤル発信の説明図。
【図４】本発明の別の外部接続装置装着時におけるダイヤル発信の説明図。
【図５】複合網（公−専−公）の概略説明図。
【符号の説明】
【００６３】
１０  外部接続装置
１１  記憶手段（ＲＯＭ）
１２  コネクタ
３０，３０’  携帯電話機
３１  制御装置
３１ａ  メモリ
３２１  送受信制御回路
３２２  ダイヤル発信手段
３２４  音声入出力制御回路
３２５  キー入力制御回路
３２６  ディスプレイ制御回路
３２７  ＬＥＤ制御回路
３２８  着信音出力制御回路
３３  外部接続端子
３４  プッシュキー
３５  発信キー
３６  切断キー
３７  送話口
３７ａ  マイク
３８  受話口
３８ａ  スピーカー
３９  ディスプレイ
５０  複合網
６２  移動体系事業者の回線網
７１  発信側コールセンター（電話交換機）
７２  専用線
７３  着信側コールセンター
８１  着信側電話機
８２  一般公衆回線網
【図１】
2006135737.tif 000003
【図２】
2006135737.tif 000004
【図３】
2006135737.tif 000005
【図４】
2006135737.tif 000006
【図５】
2006135737.tif 000007